(57)【要約】      （修正有）【課題】生理用ナプキンをハンカチとともに持ち歩いても、不自然でなく、しかも、落下することのない収納部を有するハンカチを提供する。【解決手段】タオル地のハンカチからなる布片、あるいは、タオル地を素材とし、ハンカチ程度の大きさにカットした矩形状の布片１を用い、該布片を、Ａ−Ａ折り線に従って、二つに折る際、一方の布片１ａに、空隙部２を形成し、該一方の布片を、他方の布片１ｂに折り重ねて二つ折りし、さらに、二つ折りした布片の前記一方の布片の上面であって、この上面の長手方向の端部付近であって、且つ相対向する位置にそれぞれ止め具３ａ，３ｂを設け、この二つ折りにした布片を、さらに、Ｂ−Ｂ折り線に従って折り重ね、前記布片を四つ折りとし、この四つ折り辺にした布片のうち、前記止め具を有する辺を残して、他の辺の一部あるいは全部の辺を縫着し、内部に位置する空隙部を生理ナプキン等の収納物の収納部Ｘとする。【選択図】図３
0003157279.tif 000002
【実用新案登録請求の範囲】
【請求項１】
タオル地のハンカチからなる布片、あるいは、タオル地を素材とし、ハンカチ程度の大きさにカットした矩形状の布片（１）を用い、該布片（１）を、Ａ−Ａ折り線に従って、二つに折る際、一方の布片（１ａ）に、空隙部（２）を形成し、該一方の布片（１ａ）を、他方の布片（１ｂ）に折り重ねて二つ折りし、さらに、二つ折りした布片（１）の前記一方の布片（１ａ）の上面であって、この上面の長手方向の端部付近であって、且つ相対向する位置にそれぞれ止め具（３ａ，３ｂ）を設け、この二つに折りした布片（１）を、さらに、Ｂ−Ｂ折り線に従って折り重ね、前記布片（１）を四つ折りとし、この四つ折り辺にした布片（１）のうち、前記止め具（３ａ，３ｂ）を有する辺を残して、他の辺の一部あるいは全部の辺を縫着し、内部に位置する空隙部（２）を生理ナプキン等の収納物（Ｙ）を収納する収納部（Ｘ）とすることを特徴とする収納部を有するハンカチ。
【考案の詳細な説明】
【技術分野】
【０００１】
この考案は、収納部を有するハンカチに関するものある。
【背景技術】
【０００２】
従来、外出先でトイレを利用した後には、手を洗い、その後、備付けのハンドティッシュやタオルで拭い、それらがない場合には、自分のハンカチ（ハンカチーフともいう）で、手を拭くものであり、ハンカチは、トイレに行く際には，必須のアイテムである。
【０００３】
また、トイレを利用するのは、大・小便のために利用するだけでなく、女性にとっては、生理の際にも利用するものであり、そのため、生理時にはトイレに行く際には、必ず、生理用ナプキンを持ち歩く必要があった。
【０００４】
そのため、職場である会社や男女共学の学校等では、人目、特に、異性の目が気になり、小さなポーチを用意し、その中に生理用ナプキンを入れて持ち歩いているが、このポーチも目立ってしまい、若い女性にとっては、特に恥ずかしさを感じるものであった。
【０００５】
そのため、トイレに、如何に生理用ナプキンを人目を気にせずに、自然に持ち込むことか出来るものは、男女共にトイレを利用する際、必ず、持参・使用するハンカチである。  
【０００６】
しかし、ハンカチに生理用ナプキンを包んでも、不自然であり、また、正方形のハンカチを二つに折り畳んで、その間に、生理用ナプキンを挟んで持ち歩いても、隙間から見えたり、うっかりして生理用ナプキンだけを落としてしまう場合もあった。
【考案の概要】
【考案が解決しようとする課題】
【０００７】
そこで、この考案の課題は、生理用ナプキンをハンカチとともに持ち歩いても、不自然でなく、しかも、落下することのない収納部を有するハンカチを開発・提供することにある。
【課題を解決するための手段】
【０００８】
この考案による課題を解決するための手段として、ハンカチの素材にも注意をはらい、生理用ナフキンの存在がわからない工夫をこらした収納部を有するハンカチである。
【考案の効果】
【０００９】
この考案によると、素材にタオル地を用いたため、厚めであり、内部の重合した２枚の布片の中央部を切り抜いており、この切り抜いた部分によるクリアランスを利用し、内部に生理用ナプキンを収納しても、タオル地の布面の周囲は額縁状に残していることにより、この周面の厚みにより、生理用ナプキンは外方に膨出することがない。従って、人目には気づかれずに、あるいは、人目を気にせずに生理用ナプキンを持ち歩くことが出来る。
【００１０】
また、止め具により開口・閉塞自在であるため、ハンカチ内部の収納部から生理用ナプキンが落下することもなく、ごく自然に折り畳んだハンカチを持ってトイレを利用する状態で生理用ナプキンや他の収納物を持ち込むことが出来る等極めて有益なる効果を有するものである。
【図面の簡単な説明】
【００１１】
【図１】この考案の一実施例を示す斜視図である。
【図２】この考案の一実施例を示す部分断面斜視図である。
【図３】この考案の製造工程の一実施例を示す説明図である。
【考案を実施するための形態】
【００１２】
以下、この考案の好適な実施の形態について述べると、比較的厚みを有するタオル地を素材としたハンカチ、あるいはハンカチ程度の大きさにカットしたタオル地の素材を用い、二つ折りにし、さらに二つ折りにし、ハンカチを折り畳んだ状態の四枚重ねとし、うち内部の二枚に空隙部を設け、この空隙部のクリアランスを利用して収納部とし、この収納部に生理用ナプキン等を収納することができるようにした，収納部を有するハンカチである。
【実施例】
【００１３】
この考案の一実施例を図面に従って詳細に説明すると、タオル地のハンカチからなる布片、あるいは、タオル地を素材とし、ハンカチ程度の大きさにカットした矩形状の布片（１）を用い、該布片（１）を、Ａ−Ａ折り線に従って、二つに折る際、一方の布片（１ａ）に、空隙部（２）を形成し、該一方の布片（１ａ）を、他方の布片（１ｂ）に折り重ねて二つ折りし、さらに、二つ折りした布片（１）の前記一方の布片（１ａ）の上面であって、この上面の長手方向の端部付近であって、且つ相対向する位置にそれぞれ止め具（３ａ，３ｂ）を設け、この二つに折りした布片（１）を、さらに、Ｂ−Ｂ折り線に従って折り重ね、前記布片（１）を四つ折りとし、この四つ折り辺にした布片（１）のうち、前記止め具（３ａ，３ｂ）を有する辺を残して、他の辺の一部あるいは全部の辺を縫着し、内部に位置する空隙部（２）を生理ナプキン等の収納物（Ｙ）を収納する収納部（Ｘ）とすることを特徴とする収納部を有するハンカチから構成される。
【００１４】
従って、この考案の布片（１）は、出来合いのタオルのハンカチであってもよく、タオル地をハンカチ程度の大きさにカットした矩形状の布片のいずれを利用してもよいものである。
【００１５】
尚、ハンカチ程度の大きさとは、一辺が１５〜３０ｃｍ程度のものであり、これを相対向する辺に向けて二つ折りにし、さらにこれを長手方向の相対向する辺に向けて四つ折りにし、大きさは当初の１／４にしたものである。
【００１６】
そして、止め具（３）は、図面においてスナップボタンの例を示したが、一方は凸部（３ａ）であり、他方は凹部（３ｂ）である。また、止め具（３）は、これに限定されることはなく、ベルクロファスナー、ジッパー等であってもよく、簡単に開口できるものであれば、特に、限定しない。
【００１７】
さらに、止め具（３）は、図面においてスナップボタンを１個設けたものを示しているが、複数、例えば、３個設けてもよく、この場合には、収納部（Ｘ）に口紅を入れておいても外部にこぼれ落ちることはない。
【００１８】
尚、重ね合わせた布片（１）は、糸（４）にて縫着されるものであるが、一方の布片（１ａ）と他方の布片（１ｂ）を二つ折りにした際に、先ず、二つ折りにした布片（１）の全周囲を縫着し、次に、四つ折りにした布片（１）の止め具（３ａ，３ｂ）を有する辺に隣接する二辺のみを縫着するものである。
【００１９】
また、他の方法によると、四つ折りにした布片（１）の各辺のうち、止め具（３ａ，３ｂ）を有する辺を除いて、他の三辺を糸（４）にて縫着してもよい。しかしながら、あくまでハンカチに見せかけるため、太い糸で縫う場合には、表面に縫い目が出ぬように縫う方法（三つ巻きという）が必要である。
【産業上の利用可能性】
【００２０】
この考案の収納部を備えたハンカチの技術を確立し、実施・販売することにより、産業上利用可能性を有するものである。
【符号の説明】
【００２１】
１  布片
１ａ  一方の布片
１ｂ  他方の布片
２  空隙部
３  止め具
４  糸
Ｘ  収納部
Ｙ  収納物
【図１】
0003157279.tif 000003
【図２】
0003157279.tif 000004
【図３】
0003157279.tif 000005